(57)【特許請求の範囲】
【請求項１】
電話回線網に接続可能であって、前記電話回線網を介して複数の受信条件のうち１つの受信条件に従って相手側装置から送信されるファクシミリデータを受信するファクシミリ通信部と、
相手側装置番号情報が記憶される記憶部と、
制御部と、
を備え、
前記制御部は、
前記ファクシミリ通信部が前記電話回線網を介して相手側装置番号情報を受信した際、当該受信した相手側装置番号情報が前記記憶部に記憶されている相手側装置番号情報と一致するか否かを判定する相手側装置番号判定処理と、
前記相手側装置番号判定処理によって、前記受信した相手側装置番号情報が前記記憶部に記憶されている相手側装置番号情報と一致すると判定された場合、前記複数の受信条件のうち、前記電話回線網を介して受信するファクシミリデータを最小のデータサイズで受信可能である受信条件の情報を前記相手側装置に送信し、
前記相手側装置番号判定処理によって、前記受信した相手側装置番号情報が前記記憶部に記憶されている相手側装置番号情報と一致しないと判定された場合、前記複数の受信条件のうち、前記電話回線網を介して受信するファクシミリデータを最大のデータサイズで受信可能である受信条件の情報を前記相手側装置に送信する条件送信処理と、
前記相手側装置から送信されるファクシミリデータを、前記条件送信処理により前記相手側装置に送信された前記受信条件以下の受信条件で受信する受信処理と、
を有する、ファクシミリ装置。
【請求項２】
請求項１に記載のファクシミリ装置であって、
前記制御部は、
前記条件送信処理において、前記複数の受信条件のうち、前記電話回線網を介して受信するファクシミリデータを最大の通信速度で受信するという受信条件の情報を前記相手側装置に送信する、
ファクシミリ装置。
【請求項３】
請求項１または２に記載のファクシミリ装置であって、
前記制御部は、
前記ファクシミリ通信部により前記相手側装置からファクシミリ送信の開始通知を受信する開始通知受信処理、
を有し、
前記開始通知受信処理が実行されたか否かにかかわらず、前記条件送信処理を実行する、
ファクシミリ装置。
【請求項４】
請求項１〜３のいずれか一項に記載のファクシミリ装置であって、
前記制御部は、
前記ファクシミリ通信部が前記相手側装置から受信したファクシミリデータを前記記憶部に保存するデータ保存処理、
を有し、
前記条件送信処理により前記複数の受信条件のうち、前記電話回線網を介して受信するファクシミリデータを最小のデータサイズで受信可能である受信条件の情報が前記相手側装置に送信され、前記受信処理により前記ファクシミリ通信部がファクシミリデータを受信した場合、前記データ保存処理を実行しない、
ファクシミリ装置。
【請求項５】
請求項１〜４のいずれか一項に記載のファクシミリ装置であって、
更に、
前記ファクシミリ通信部に接続された電話回線を開閉する回線開閉部、
を備え、
前記制御部は、
前記ファクシミリ通信部が相手側装置の相手側装置番号情報を受信した場合に、当該受信から過去の所定時間内に、当該受信した相手側装置番号情報と同一の相手側装置番号情報を受信したか否かを判定する再受信判定処理、
を有し、
前記相手側装置番号判定処理によって、前記受信した相手側装置番号情報が前記記憶部に記憶されている相手側装置番号情報と一致すると判定された場合、かつ、前記再受信判定処理によって、前記受信から過去の所定時間内に、前記受信した相手側装置番号情報と同一の相手側装置番号情報を受信した場合には、前記条件送信処理及び前記受信処理を実行し、
前記相手側装置番号判定処理によって、前記受信した相手側装置番号情報が前記記憶部に記憶されている相手側装置番号情報と一致すると判定された場合、かつ、前記再受信判定処理によって、前記受信から過去の所定時間内に、前記受信した相手側装置番号情報と同一の相手側装置番号情報を受信していない場合には、前記回線開閉部を開状態に維持する、
ファクシミリ装置。
【請求項６】
請求項１〜５のいずれか一項に記載のファクシミリ装置であって、
前記制御部は、
前記条件送信処理において、前記複数の受信条件のうち、前記ファクシミリ通信部が受信した前記ファクシミリデータのエラーを訂正するエラー訂正モードを当該ファクシミリ装置が備えないという受信条件の情報を前記相手側装置に送信する、
ファクシミリ装置。
【発明の詳細な説明】
【技術分野】
【０００１】
本発明は、ファクシミリ装置に関する。
【背景技術】
【０００２】
家庭やオフィスに設置されているファクシミリ装置に、同じ送信元からの不要な広告などが繰り返し届くことがある。このような迷惑ＦＡＸが頻繁に届くと、オフィスにおける業務などに支障を来すおそれがある。
【０００３】
迷惑ＦＡＸへの対策として、ファクシミリ装置において、不要な広告などの送信元の電話番号を予め登録して、その登録された電話番号からの着呼を無視（着信許否）するように設定しておく手法がある。しかしながら、この着信拒否の手法では、送信元が発呼（ＲＩＮＧ信号の送信）を止めるまで、ファクシミリ装置が着呼を受け続け、その間、回線が占有されてしまう。
【０００４】
そこで、予め登録された送信元からの着呼に対して、回線を一旦閉結し、その後すぐに回線を開放することにより、着呼により回線が占有され続けることを防止できるファクシミリ装置が提案されている（たとえば、特許文献１参照）。
【先行技術文献】
【特許文献】
【０００５】
【特許文献１】特開平０８−１８６６４０号公報
【発明の概要】
【発明が解決しようとする課題】
【０００６】
ところが、その提案に係るファクシミリ装置では、回線が一旦閉結された後に開放され、ファクシミリデータが受信されない。そのため、送信元で送信先のファクシミリ装置が画像データを受信したことが確認されず、回線が開放された後、送信元からファクシミリ装置に迷惑ＦＡＸが再び送られるおそれがある。
【０００７】
本発明の目的は、迷惑ＦＡＸによるファクシミリデータを受信することにより、その送信元から迷惑ＦＡＸが再び送られることを抑制しつつ、迷惑ＦＡＸの受信による回線の占有時間を短くできる、ファクシミリ装置を提供することである。
【課題を解決するための手段】
【０００８】
前記の目的を達成するため、本発明の一の局面に係るファクシミリ装置は、電話回線網に接続可能であって、前記電話回線網を介して複数の受信条件のうち１つの受信条件に従って相手側装置から送信されるファクシミリデータを受信するファクシミリ通信部と、相手側装置番号情報が記憶される記憶部と、制御部とを備え、制御部は、ファクシミリ通信部が電話回線網を介して相手側装置番号情報を受信した際、当該受信した相手側装置番号情報が相手側装置番号情報と一致するか否かを判定する相手側装置番号判定処理と、相手側装置番号判定処理によって、受信した相手側装置番号情報が記憶部に記憶されている相手側装置番号情報と一致すると判定された場合、複数の受信条件のうち、電話回線網を介して受信するファクシミリデータを最小のデータサイズで受信可能である受信条件の情報を相手側装置に送信し、相手側装置番号判定処理によって、受信した相手側装置番号情報が記憶部に記憶されている相手側装置番号情報と一致しないと判定された場合、複数の受信条件のうち、電話回線網を介して受信するファクシミリデータを最大のデータサイズで受信可能である受信条件の情報を相手側装置に送信する条件送信処理と、相手側装置から送信されるファクシミリデータを、条件送信処理により相手側装置に送信された受信条件以下の受信条件で受信する受信処理とを有する。
【０００９】
この構成によれば、ファクシミリ通信部が相手側装置の相手側装置番号情報を受信すると、その受信した相手側装置番号情報が記憶部に記憶されている相手側装置番号情報と一致するか否かが判定される。相手側装置の相手側装置番号情報と記憶部に記憶されている相手側装置番号情報の１つとが一致すると、ファクシミリ通信部から相手側装置に、ファクシミリデータを最小のデータサイズで受信可能な受信条件の情報が送信される。そして、ファクシミリ通信部により、相手側装置から送信されるファクシミリデータが最小のデータサイズで受信される。
【００１０】
一方、相手側装置の相手側装置番号情報と記憶部に記憶されている相手側装置番号情報の１つとが一致しない場合は、ファクシミリ通信部から相手側装置に、ファクシミリデータを最大のデータサイズで受信可能な受信条件の情報が送信される。そして、ファクシミリ通信部により、相手側装置から送信されるファクシミリデータが最大のデータサイズで受信される。
【００１１】
迷惑ＦＡＸの送信元である相手側装置の相手側装置番号情報が記憶部に記憶されており、その相手側装置からの迷惑ＦＡＸであっても、迷惑ＦＡＸによるファクシミリデータが正常に受信される。そのため、迷惑ＦＡＸの送信元である相手側装置では、送信先のファクシミリ装置でファクシミリデータが正常に受信されたと認識される。その結果、相手側装置から迷惑ＦＡＸが短時間の間に再び送信されることを抑制できる。
【００１２】
そして、相手側装置の相手側装置番号情報と記憶部に記憶されている相手側装置番号情報の１つとが一致する場合、ファクシミリデータは、ファクシミリ装置で可能な最大のデータサイズではなく、最小のデータサイズで受信される。たとえば、ファクシミリ装置がカラーＦＡＸおよびＡ３サイズのＦＡＸに対応する能力を有していても、ファクシミリ装置から相手側装置へモノクロＦＡＸおよびＡ４サイズのＦＡＸに対応する受信条件が送信され、その受信条件でファクシミリデータがファクシミリ通信される。そのため、ファクシミリデータの受信を短時間で済ませることができる。その結果、迷惑ＦＡＸの受信による回線の占有時間を短くすることができる。
【００１３】
よって、迷惑ＦＡＸによるファクシミリデータを受信することにより、その送信元の相手側装置から迷惑ＦＡＸが再び送られることを抑制しつつ、迷惑ＦＡＸの受信による回線の占有時間を短くすることができる。
【００１４】
制御部は、条件送信処理において、複数の受信条件のうち、電話回線網を介して受信するファクシミリデータを最大の通信速度で受信するという受信条件の情報を相手側装置に送信してもよい。
【００１５】
この構成によれば、通信速度については、ファクシミリ装置から相手側装置に最大速度が送信されるので、迷惑ＦＡＸによるファクシミリデータの受信に要する時間を一層短縮することができる。その結果、迷惑ＦＡＸの受信による回線の占有時間をより短くすることができる。
【００１６】
制御部は、ファクシミリ通信部により相手側装置からファクシミリ送信の開始通知を受信する開始通知受信処理を有し、開始通知受信処理が実行されたか否かにかかわらず、条件送信処理を実行してもよい。
【００１７】
この構成によれば、ファクシミリ送信の開始通知の受信を待たずに、ファクシミリ通信部から相手側装置に、ファクシミリ通信の受信条件が通知される。これにより、ファクシミリデータの受信までに要する時間を短縮することができる。その結果、迷惑ＦＡＸの受信による回線の占有時間を一層短くすることができる。
【００１８】
制御部は、ファクシミリ通信部が相手側装置から受信したファクシミリデータを記憶部に保存するデータ保存処理を有し、条件送信処理により複数の受信条件のうち、電話回線網を介して受信するファクシミリデータを最小のデータサイズで受信可能である受信条件の情報が相手側装置に送信され、受信処理によりファクシミリ通信部がファクシミリデータを受信した場合、データ保存処理を実行しなくてもよい。
【００１９】
この構成によれば、迷惑ＦＡＸによるファクシミリデータが受信されても、そのファクシミリデータが保存されない。よって、不要なファクシミリデータにより記憶部の容量が圧迫されることを防止できる。また、不要なファクシミリデータに係る画像が用紙に形成されることを抑制でき、用紙やインクまたはトナーなどの浪費を抑制できる。
【００２０】
ファクシミリ通信部に接続された電話回線を開閉する回線開閉部を備え、制御部は、ファクシミリ通信部が相手側装置の相手側装置番号情報を受信した場合に、当該受信から過去の所定時間内に、当該受信した相手側装置番号情報と同一の相手側装置番号情報を受信したか否かを判定する再受信判定処理を有し、相手側装置番号判定処理によって、受信した相手側装置番号情報が記憶部に記憶されている相手側装置番号情報と一致すると判定された場合、かつ、再受信判定処理によって、受信から過去の所定時間内に、受信した相手側装置番号情報と同一の相手側装置番号情報を受信した場合には、条件送信処理及び受信処理を実行し、相手側装置番号判定処理によって、受信した相手側装置番号情報が記憶部に記憶されている相手側装置番号情報と一致すると判定された場合、かつ、再受信判定処理によって、受信から過去の所定時間内に、受信した相手側装置番号情報と同一の相手側装置番号情報を受信していない場合には、回線開閉部を開状態に維持してもよい。
【００２１】
ファクシミリ装置により迷惑ＦＡＸの受信が許否された場合に、迷惑ＦＡＸの送信元である相手側装置から迷惑ＦＡＸが再び送られるとは限らない。迷惑ＦＡＸの送信が１回のみである場合、迷惑ＦＡＸによる画像データが受信されるよりも、迷惑ＦＡＸの着信が許否される方が回線を占有する時間が短くすむ。
【００２２】
この構成によれば、ファクシミリ通信部が相手側装置の相手側装置番号情報を受信した場合に、その受信から過去の所定時間内に、当該受信した相手側装置番号情報と同一の相手側装置番号情報を受信したか否かが判定される。そして、過去の所定時間内に同一の相手側装置番号情報を受信していない場合には、電話回線網とファクシミリ通信部との間で回線が閉じられない。すなわち、相手側装置からの着信が拒否される。これにより、迷惑ＦＡＸが１回のみ送信される場合に、迷惑ＦＡＸの受信による回線の占有時間をより一層短くすることができる。
【００２３】
一方、過去の所定時間内に、同一の相手側装置の相手側装置番号情報を２回受信した場合、２回目の相手側装置番号情報の受信後、電話回線網とファクシミリ通信部との間で回線が閉じられて、迷惑ＦＡＸによる画像データが受信される。そのため、相手側装置から迷惑ＦＡＸがその後さらに再送信されることを抑制できる。
【００２４】
制御部は、条件送信処理において、複数の受信条件のうち、ファクシミリ通信部が受信したファクシミリデータのエラーを訂正するエラー訂正モードを当該ファクシミリ装置が備えないという受信条件の情報を前記相手側装置に送信してもよい。
【００２５】
記憶部に記憶されている相手側装置番号情報の相手側装置からファクシミリデータを受信する場合、受信したファクシミリデータは不要なファクシミリデータである。したがって、受信したファクシミリデータにエラーがあっても問題ない。そのため、エラー訂正モード、例えば、ＥＣＭ（Error Correction Mode）を当該ファクシミリ装置が備えない旨を相手側装置に送信することで、エラーの訂正を行わないようにする。その結果、エラーがあったファクシミリデータの再受信によって回線が占有することを防止でき、迷惑ＦＡＸの受信による回線の占有時間を一層短くすることができる。
【発明の効果】
【００２６】
本発明によれば、迷惑ＦＡＸによるファクシミリデータを受信することにより、その送信元から迷惑ＦＡＸが再び送られることを抑制しつつ、迷惑ＦＡＸの受信による回線の占有時間を短くできる。
【図面の簡単な説明】
【００２７】
【図１】本発明の一実施形態に係るファクシミリ装置の主要構成を示すブロック図である。
【図２Ａ】ＭＦＰにおける迷惑ＦＡＸ制御処理の流れを示すフローチャート（その１）である。
【図２Ｂ】ＭＦＰにおける迷惑ＦＡＸ制御処理の流れを示すフローチャート（その２）である。
【図３】ＦＡＸ処理の流れを示すフローチャートである。
【図４】第２ＦＡＸ処理の流れを示すフローチャートである。
【発明を実施するための形態】
【００２８】
以下では、本発明の実施の形態について、添付図面を参照しつつ詳細に説明する。
【００２９】
＜全体構成＞
【００３０】
ファクシミリ装置の一例としてのＭＦＰ１は、図１に示されるように、画像形成部１０、画像読取部２０及びファクシミリ通信部の一例としてのモデム部３０を備えている。
【００３１】
画像形成部１０は、画像データに基づく印刷（カラー印刷又はモノクロ印刷）を実行し、シートに画像を形成する。画像形成の方式は、電子写真方式であってもよいし、インクジェット方式であってもよい。
【００３２】
画像読取部２０は、シートに形成されている画像をシートから読み取り、画像データとして取得する。
【００３３】
モデム部３０は、モジュラジャック３１に接続されている。モデム部３０は、交換機４０と接続されている電話回線の一例としてのモジュラケーブル４１がモジュラジャック３１に挿入されることにより、公衆回線網と接続される。
【００３４】
モデム部３０は、回線開閉部の一例としての回線開閉回路３２を備えている。
【００３５】
回線開閉回路３２は、モジュラジャック３１とモデム部３０との接続の開閉を切り替える。回線開閉回路３２が閉状態のときは、モジュラジャック３１とモデム部３０とが接続される。回線開閉回路３２が開状態のときは、モジュラジャック３１とモデム部３０との接続が解除される。
【００３６】
ＭＦＰ１は、ＡＳＩＣ（Application Specific Integrated Circuit）５０、ＲＯＭ５１、ＲＡＭ５２、ＮＶＲＡＭ（Non Volatile RAM）５３及びスピーカ６０を備えている。
【００３７】
制御部の一例としてのＡＳＩＣ５０は、ＣＰＵ５４及び音出力回路５５を内蔵している。ＡＳＩＣ５０には、交換機４０との間で送受信されるファクシミリ用通信データがモデム部３０を介して入出力される。ＣＰＵ５４は、ＡＳＩＣ５０に入力される情報に基づいて、各種の処理のためのプログラムを実行することにより、画像形成部１０及び画像読取部２０を制御し、モデム部３０を介した通信を制御する。
【００３８】
音出力回路５５は、モデム部３０により受信されたファックス通信に関する各種信号に応じた音をスピーカ６０から出力させる。音出力回路５５は、受信した信号が音信号である場合は、スピーカ６０にその信号をそのまま出力することにより、音を出力させる。また、音出力回路５５は、受信した信号が音信号でない場合は、受信した信号に応じた音信号を合成して、スピーカ６０に音合成信号を出力することにより、音を出力させる。これにより、例えば、ＲＩＮＧ信号が受信された場合、音出力回路５５によりベル音が合成され、音合成信号（ベル音）が音出力回路５５からスピーカ６０に送信され、スピーカ６０からベル音が出力される。
【００３９】
ＲＯＭ５１には、ＣＰＵ５４によって実行されるプログラム及び各種のデータなどが記憶されている。
【００４０】
記憶部の一例としてのＲＡＭ５２は、ＣＰＵ５４がプログラムを実行する際のワークエリアとして使用される。
【００４１】
記憶部の一例としてのＮＶＲＡＭ５３には、相手側装置番号情報の一例としての電話番号が記憶される。
【００４２】
ＭＦＰ１は、外付電話７０をＭＦＰ１に接続するためのモジュラジャック７１と、電話接続リレー８０とを備えている。
【００４３】
電話接続リレー８０は、モジュラジャック７１とモジュラジャック３１との間の接続の開閉を切り替える。電話接続リレー８０が閉状態のときは、交換機４０と外付電話７０とが接続される。電話接続リレー８０が開状態のときは、交換機４０と外付電話７０との接続が解除させる。
【００４４】
＜音制御処理＞
【００４５】
ＭＦＰ１の電源が投入されている間、ＡＳＩＣ５０のＣＰＵ５４は、図２Ａ及び図２Ｂに示される迷惑ＦＡＸ制御処理を繰り返し実行する。
【００４６】
迷惑ＦＡＸ制御処理では、ＣＰＵ５４は、着呼があった場合、呼出信号に相手側装置番号情報の一例としてのＣａｌｌｅｒＩＤが入力されているか否かを判断する（Ｓ１）。
【００４７】
ＣａｌｌｅｒＩＤが入力されている場合（Ｓ１：ＹＥＳ）、ＣＰＵ５４は、ＣａｌｌｅｒＩＤにより特定される電話番号がＮＶＲＡＭ５３に記憶されている電話番号と一致するか否かを判断する（Ｓ２）。ＮＶＲＡＭ５３には、迷惑ＦＡＸの送信元の電話番号の一覧が記憶されている。
【００４８】
ＣａｌｌｅｒＩＤにより特定される電話番号がＮＶＲＡＭ５３に記憶されている電話番号と一致しない場合（Ｓ２：ＮＯ）、ＣＰＵ５４は、モデム部３０のモニタをオンにして、スピーカ６０のミュートをオフすることにより、ＦＡＸ又は電話の呼出音の出力を許可する（Ｓ３）。
【００４９】
一方、ＣａｌｌｅｒＩＤが入力されていない場合（Ｓ１：ＮＯ）、ＣＰＵ５４は、モデム部３０のモニタをオンにして、スピーカ６０のミュートをオフすることにより、ＦＡＸ又は電話の呼出音の出力を許可する（Ｓ３）。
【００５０】
そして、ＣＰＵ５４は、１回分のＲＩＮＧ信号を受信する（Ｓ４）。
【００５１】
ＣＰＵ５４は、受信したＲＩＮＧ信号を、音出力回路５５を通過させてスピーカ６０に入力させることにより、スピーカ６０によりベル音を鳴動させる（Ｓ５）。
【００５２】
次に、ＣＰＵ５４は、ＲＩＮＧ信号の受信数が所定数に達したか否かを判断する（Ｓ６）。
【００５３】
ＲＩＮＧ信号の受信数が所定数に達していない場合（Ｓ６：ＮＯ）、ＣＰＵ５４は、前述したステップＳ４の処理に戻り、次の１回分のＲＩＮＧ信号を受信する。
【００５４】
ＲＩＮＧ信号の受信数が所定数に達した場合（Ｓ６：ＹＥＳ）、ＣＰＵ５４は、モデム部の回線開閉回路３２を閉状態にすることをモデム部３０に指示することにより、回線を閉結する（Ｓ７）。
【００５５】
そして、ＣＰＵ５４は、受信がＦＡＸであるか否かを判断する（Ｓ８）。
【００５６】
受信がＦＡＸである場合（Ｓ８：ＹＥＳ）、ＣＰＵ５４は、ＦＡＸ処理を実行して（Ｓ９）、迷惑ＦＡＸ制御処理を終了する。ＦＡＸ処理の詳細については、後述する。
【００５７】
受信がＦＡＸでない場合（Ｓ８：ＮＯ）、ＣＰＵ５４は、最初のＲＩＮＧ信号を受信してから所定時間Ｔ１が経過したか否かを判断する（Ｓ１０）。
【００５８】
所定時間Ｔ１が経過していない場合（Ｓ１０：ＮＯ）、ＣＰＵ５４は、前述したステップＳ８の処理に戻り、受信がＦＡＸであるか否かを判断する。
【００５９】
所定時間Ｔ１が経過した場合（Ｓ１０：ＹＥＳ）、すなわち、所定時間Ｔ１が経過しても受信がＦＡＸであると判断されないときは、受信が電話であると考えられるので、ＣＰＵ５４は、電話接続処理を行う（Ｓ１１）。電話接続処理では、電話接続リレー８０を閉状態に切り替えて、外付電話を公衆回線網に接続する。
【００６０】
一方、ＣａｌｌｅｒＩＤにより特定される電話番号がＮＶＲＡＭ５３に記憶されている電話番号と一致した場合（Ｓ２：ＹＥＳ）、すわなち、迷惑ＦＡＸの送信元としてＮＶＲＡＭ５３に電話番号が記憶されている相手側装置から受信した場合、ＣＰＵ５４は、モデム部３０のモニタをオフにして、スピーカ６０のミュートをオンすることにより、ＦＡＸ又は電話の呼出音の出力を禁止する（Ｓ１２）。
【００６１】
そして、ＣＰＵ５４は、１回分のＲＩＮＧ信号を受信する（Ｓ１３）。
【００６２】
次に、ＣＰＵ５４は、ＲＩＮＧ信号の受信数が所定数に達したか否かを判断する（Ｓ１４）。
【００６３】
ＲＩＮＧ信号の受信数が所定数に達していない場合（Ｓ１４：ＮＯ）、ＣＰＵ５４は、前述したステップＳ１３の処理に戻り、次の１回分のＲＩＮＧ信号を受信する。
【００６４】
ＲＩＮＧ信号の受信数が所定数に達した場合（Ｓ１４：ＹＥＳ）、ＣＰＵ５４は、当該ＲＩＮＧ信号の受信から過去の所定時間内に同一のＣａｌｌｅｒＩＤの送信元から受信があったか否か、すわなち、迷惑ＦＡＸの送信元としてＮＶＲＡＭ５３に電話番号が記憶されている相手側装置から、過去の所定時間内に２回以上受信があったか否かを判断する（Ｓ１５）。ＣＰＵ５４は、ＲＩＮＧ信号の受信から所定時間が経過するまで、受信したＣａｌｌｅｒＩＤをＲＡＭ５２に記憶させておく。
【００６５】
同一のＣａｌｌｅｒＩＤの送信元から受信があった場合（Ｓ１５：ＹＥＳ）、ＣＰＵ５４は、モデム部３０の回線開閉回路３２を閉状態にすることをモデム部に指示することにより、回線を閉結する（Ｓ１６）。
【００６６】
そして、ＣＰＵ５４は、第２ＦＡＸ処理を実行する（Ｓ１７）。第２ＦＡＸ処理の詳細については、後述する。
【００６７】
一方、同一のＣａｌｌｅｒＩＤの送信元から受信がなかった場合（Ｓ１５：ＮＯ）、ＣＰＵ５４は、迷惑ＦＡＸ制御処理を終了する。これにより、回線を閉結しないことによる着信拒否が行われたこととなる。
【００６８】
＜ＦＡＸ処理＞
【００６９】
図２ＢのステップＳ９で実行されるＦＡＸ処理の流れは、図３に示されている。
【００７０】
ＦＡＸ処理では、ＣＰＵ５４は、モデム部３０に、ＦＡＸを受信する旨をＣＥＤ信号により相手側装置に向けて送信させた後、モデム部３０に、ＭＦＰ１の備える最大のＦＡＸ機能をＤＩＳ信号により相手側装置に向けて送信させる（Ｓ９０１）。最大のＦＡＸ機能は、例えば、原稿幅がＪＩＳ規格によるＡ３サイズ、カラーＦＡＸ可、ＥＣＭ可である。
【００７１】
そして、ＣＰＵ５４は、モデム部３０が相手側装置からＦＡＸ送信指示（ＣＮＧ信号）を受信するまで（Ｓ９０２：ＮＯ）、受信したか否かを判断する（Ｓ９０２）。
【００７２】
ＦＡＸ送信指示を受信した場合（Ｓ９０２：ＹＥＳ）、ＣＰＵ５４は、相手側装置からの画像信号の受信をモデム部３０に開始させる。また、ＣＰＵ３９は、受信した画像信号による画像データのＲＡＭ５２への保存を開始する（Ｓ９０３）。
【００７３】
そして、ＣＰＵ５４は、画像信号の受信が終了するまで（Ｓ９０４：ＮＯ）、受信の終了を待つ（Ｓ９０４）。
【００７４】
画像信号の受信が終了した場合（Ｓ９０４：ＹＥＳ）、ＣＰＵ５４は、モデム部の回線開閉回路３２を開状態にすることをモデム部３０に指示することにより、回線を開放し（Ｓ９０５）、ＦＡＸ処理をリターンする。
【００７５】
＜第２ＦＡＸ処理＞
【００７６】
図２ＡのステップＳ１７で実行される第２ＦＡＸ処理の流れは、図４に示されている。
【００７７】
第２ＦＡＸ処理では、ＣＰＵ５４は、モデム部３０に、ＦＡＸを受信する旨をＣＥＤ信号により相手側装置に向けて送信させた後、モデム部３０に、ＭＦＰ１の備える最小のＦＡＸ機能をＤＩＳ信号により相手側装置に向けて送信させる（Ｓ１７０１）。最小のＦＡＸ機能は、例えば、原稿幅がＪＩＳ規格によるＡ４サイズ、カラーＦＡＸ不可、通信速度最大、ＥＣＭ不可である。
【００７８】
そして、ＣＰＵ５４は、モデム部３０が相手側装置からＦＡＸ送信指示（ＣＮＧ信号）を受信するまで（Ｓ１７０２：ＮＯ）、受信したか否かを判断する（Ｓ１７０２）。
【００７９】
ＦＡＸ送信指示を受信した場合（Ｓ１７０２：ＹＥＳ）、ＣＰＵ５４は、相手側装置から画像信号の受信をモデム部３０に開始させる（Ｓ１７０３）。ただし、ＣＰＵ３９は、受信した画像信号による画像データをＲＡＭ５２に保存しない。
【００８０】
そして、ＣＰＵ５４は、画像信号の受信が終了するまで（Ｓ１７０４：ＮＯ）、受信の終了を待つ（Ｓ１７０４）。
【００８１】
画像信号の受信が終了した場合（Ｓ１７０４：ＹＥＳ）、ＣＰＵ５４は、モデム部３０の回線開閉回路３２を開状態にすることをモデム部３０に指示することにより、回線を開放し（Ｓ１７０５）、第２ＦＡＸ処理をリターンする。
【００８２】
＜作用効果＞
【００８３】
以上のように、モデム部３０がファクシミリ通信における相手側装置のＣａｌｌｅｒＩＤを受信すると、その受信したＣａｌｌｅｒＩＤにより特定される電話番号がＮＶＲＡＭ５３に記憶されている電話番号と一致するか否かが判定される。相手側装置の電話番号とＮＶＲＡＭ５３に記憶されている電話番号の１つとが一致すると、モデム部３０から相手側装置に、ファクシミリデータを最小のデータサイズで受信可能な受信条件の情報が送信される。そして、モデム部３０により、相手側装置から送信されるファクシミリデータが最小のデータサイズで受信される。
【００８４】
一方、相手側装置の電話番号とＮＶＲＡＭ５３に記憶されている電話番号の１つとが一致しない場合は、モデム部３０から相手側装置に、ファクシミリデータを最大のデータサイズで受信可能な受信条件の情報が送信される。そして、モデム部３０により、相手側装置から送信されるファクシミリデータが最大のデータサイズで受信される。
【００８５】
迷惑ＦＡＸの送信元である相手側装置の電話番号がＮＶＲＡＭ３５に記憶されており、その相手側装置からの迷惑ＦＡＸであっても、迷惑ＦＡＸによるファクシミリデータが正常に受信される。そのため、迷惑ＦＡＸの送信元である相手側装置では、送信先のＭＦＰ１でファクシミリデータが正常に受信されたと認識される。その結果、相手側装置から迷惑ＦＡＸが短時間の間に再び送信されることを抑制できる。
【００８６】
そして、相手側装置の電話番号とＮＶＲＡＭ５３に記憶されている電話番号の１つとが一致する場合、ファクシミリデータは、ＭＦＰ１で可能な最大のデータサイズではなく、最小のデータサイズで受信される。たとえば、ＭＦＰ１がカラーＦＡＸおよびＡ３サイズのＦＡＸに対応する能力を有していても、ＭＦＰ１から相手側装置へモノクロＦＡＸおよびＡ４サイズのＦＡＸに対応する受信条件が送信され、その受信条件でファクシミリデータがファクシミリ通信される。そのため、ファクシミリデータの受信を短時間で済ませることができる。その結果、迷惑ＦＡＸの受信による回線の占有時間を短くすることができる。
【００８７】
よって、迷惑ＦＡＸによるファクシミリデータを受信することにより、その送信元の相手側装置から迷惑ＦＡＸが再び送られることを抑制しつつ、迷惑ＦＡＸの受信による回線の占有時間を短くすることができる。
【００８８】
ＡＳＩＣ５０は、複数の受信条件のうち、電話回線網を介して受信するファクシミリデータを最大の通信速度で受信するという受信条件の情報を相手側装置に送信する。
【００８９】
これにより、通信速度については、ＭＦＰ１から相手側装置に最大速度が送信されるので、迷惑ＦＡＸによるファクシミリデータの受信に要する時間を一層短縮することができる。その結果、迷惑ＦＡＸの受信による回線の占有時間をより短くすることができる。
【００９０】
ＡＳＩＣ５０は、モデム部３０が相手側装置から受信したファクシミリデータをＲＡＭ５２に保存する。複数の受信条件のうち、電話回線網を介して受信するファクシミリデータを最小のデータサイズで受信可能である受信条件の情報が相手側装置に送信され、モデム部３０がファクシミリデータを受信した場合、対手側装置から受信したファクシミリデータをＲＡＭ５２に保存しない。
【００９１】
これにより、迷惑ＦＡＸによるファクシミリデータが受信されても、そのファクシミリデータが保存されない。よって、不要なファクシミリデータによりＲＡＭ５２の容量が圧迫されることを防止できる。また、不要なファクシミリデータに係る画像が用紙に形成されることを抑制でき、用紙やインクまたはトナーなどの浪費を抑制できる。
【００９２】
モデム部３０に接続された電話回線を開閉する回線開閉回路を備え、ＡＳＩＣ５０は、モデム部３０が相手側装置のＣａｌｌｅｒＩＤを受信した場合に、当該受信から過去の所定時間内に、当該受信したＣａｌｌｅｒＩＤと同一のＣａｌｌｅｒＩＤを受信したか否かを判定し、受信したＣａｌｌｅｒＩＤがＮＶＲＡＭ５３に記憶されている電話番号と一致すると判定された場合、かつ、その受信から過去の所定時間内に、受信したＣａｌｌｅｒＩＤと同一のＣａｌｌｅｒＩＤを受信した場合には、ファクシミリデータを最小のデータサイズで受信可能である受信条件の情報が対手側装置に送信され、相手側装置からファクシミリデータが最小のデータサイズで受信される。受信したＣａｌｌｅｒＩＤにより特定された電話番号がＮＶＲＡＭ５３に記憶されている電話番号と一致すると判定された場合、かつ、その受信から過去の所定時間内に、受信したＣａｌｌｅｒＩＤと同一のＣａｌｌｅｒＩＤを受信していない場合には、回線開閉回路３２を開状態に維持する。
【００９３】
これにより、モデム部３０が相手側装置のＣａｌｌｅｒＩＤを受信した場合に、その受信から過去の所定時間内に、当該受信したＣａｌｌｅｒＩＤと同一のＣａｌｌｅｒＩＤを受信したか否かが判定される。そして、過去の所定時間内に同一のＣａｌｌｅｒＩＤを受信していない場合には、電話回線網とモデム部３０との間で回線が閉じられない。すなわち、相手側装置からの着信が拒否される。これにより、迷惑ＦＡＸが１回のみ送信される場合に、迷惑ＦＡＸの受信による回線の占有時間をより一層短くすることができる。
【００９４】
一方、過去の所定時間内に、同一の相手側装置のＣａｌｌｅｒＩＤを２回受信した場合、２回目のＣａｌｌｅｒＩＤの受信後、電話回線網とモデム部３０との間で回線が閉じられて、迷惑ＦＡＸによる画像データが受信される。そのため、相手側装置から迷惑ＦＡＸがその後さらに再送信されることを抑制できる。
【００９５】
ＡＳＩＣ５０は、複数の受信条件のうち、モデム部３０が受信したファクシミリデータのエラーを訂正するＥＣＭを当該ファクシミリ装置が備えないという受信条件の情報を相手側装置に送信する。
【００９６】
ＮＶＲＡＭ５３に記憶されている電話番号の相手側装置からファクシミリデータを受信する場合、受信したファクシミリデータは不要なファクシミリデータである。したがって、受信したファクシミリデータにエラーがあっても問題ない。そのため、ＭＦＰ１がＥＣＭを備えない旨を相手側装置に送信することで、エラーの訂正を行わないようにする。その結果、エラーがあったファクシミリデータの再受信によって回線が占有することを防止でき、迷惑ＦＡＸの受信による回線の占有時間を一層短くすることができる。
【００９７】
＜変形例＞
【００９８】
以上、本発明の実施形態について説明したが、本発明は、他の形態で実施することもできる。
【００９９】
例えば、ＡＳＩＣ５０は、ＣＮＧ信号を受信したか否かにかかわらず、相手側装置にＤＩＳ信号を送信してもよい。
【０１００】
これにより、ファクシミリ送信の開始通知（ＣＮＧ信号）の受信を待たずに、モデム部３０から相手側装置に、ファクシミリ通信の受信条件が通知される。これにより、ファクシミリデータの受信までに要する時間を短縮することができる。その結果、迷惑ＦＡＸの受信による回線の占有時間を一層短くすることができる。
【０１０１】
また、ＭＦＰ１に代えて、ファックス専用機を用いてもよい。
【０１０２】
その他、前述の構成には、特許請求の範囲に記載された事項の範囲で種々の設計変更を施すことが可能である。
【符号の説明】
【０１０３】
１    ＭＦＰ
３０  モデム部
３２  回線開閉回路
４１  モジュラケーブル
５０  ＡＳＩＣ
５３  ＮＶＲＡＭ
５４  ＣＰＵ
【図１】
0006379947.tif 000002
【図２Ａ】
0006379947.tif 000003
【図２Ｂ】
0006379947.tif 000004
【図３】
0006379947.tif 000005
【図４】
0006379947.tif 000006